(57)【要約】【課題】  国際電話の入力操作の負担が軽減された携帯電話機を提供する。【解決手段】  携帯電話機は、国番号自動付加モードがオンかオフかの設定を記憶する領域１６と、自動付加する国番号情報を登録する領域１７と、電話番号を登録する領域１４または１５と、電話番号処理部に相当する制御部７とを含む。制御部７は、国番号自動付加モードがオンである場合において、領域１４または１５に登録されている電話番号のうちからユーザが指定した指定電話番号の先頭が「＋」であるときにはその指定電話番号をそのまま発信電話番号とし、その指定電話番号の先頭が「＋」でないときには指定電話番号の先頭に「＋」と領域１７に登録されている国番号情報に対応する国番号とを付加して前記発信電話番号を生成する。【選択図】        図１
2005184650.tif 000002
【特許請求の範囲】
【請求項１】
国番号自動付加モードを動作モードとして有する携帯電話機であって、
前記国番号自動付加モードが有効か無効かの第１の設定を記憶する第１の記憶手段と、
自動付加する国番号情報が登録される第２の記憶手段と、
電話番号を登録する第３の記憶手段と、
前記第１の設定が前記国番号自動付加モードの有効を示す場合において、前記第２の記憶手段に登録されている電話番号のうちからユーザが指定した指定電話番号の先頭が所定の符号であるときには前記指定電話番号をそのまま発信電話番号とし、前記指定電話番号の先頭が前記所定の符号でないときには前記指定電話番号の先頭に前記所定の符号と前記第２の記憶手段に登録されている国番号情報に対応する番号とを付加して前記発信電話番号を生成する電話番号処理部とを備える、携帯電話機。
【請求項２】
前記携帯電話機は、前記動作モードとして国際コード自動付加モードをさらに有し、
前記第１の記憶手段は、前記国際コード自動付加モードが有効か無効かを示す第２の設定をさらに記憶し、
前記第２の記憶手段には、自動付加する国際コード情報がさらに登録され、
前記電話番号処理部は、前記第２の設定が前記国際コード自動付加モードの有効を示す場合には、前記発信電話番号の先頭の前記所定の符号を前記第２の記憶手段に登録されている国際コード情報に対応する番号に置換する、請求項１に記載の携帯電話機。
【請求項３】
国際コード自動付加モードを動作モードとして有する携帯電話機であって、
前記国際コード自動付加モードが有効か無効かの設定を記憶する第１の記憶手段と、
自動付加する国際コード情報が登録される第２の記憶手段と、
電話番号を登録する第３の記憶手段と、
前記設定が前記国際コード自動付加モードの有効を示す場合において、前記第２の記憶手段に登録されている電話番号のうちからユーザが指定した指定電話番号の先頭が所定の符号であるときには前記発信電話番号の先頭の前記所定の符号を前記第２の記憶手段に登録されている国際コード情報に対応する番号に置換して前記発信電話番号を生成し、前記指定電話番号の先頭が前記所定の符号でないときには前記指定電話番号をそのまま発信電話番号とする電話番号処理部とを備える、携帯電話機。
【請求項４】
国番号選択モードを動作モードとして有する携帯電話機であって、
国表記情報と国番号情報とを対応付けて記憶する第１の記憶手段と、
指定電話番号を一時的に保持する第２の記憶手段と、
複数の国表記情報を表示する表示手段と、
前記国番号選択モードへの移行指示と前記複数の国表記情報のうちから１つを選択する選択指示とを入力するための入力手段と、
前記入力手段から前記国番号選択モードへの移行指示があった場合において、前記第２指定電話番号の先頭が所定の符号であるときには前記国番号選択モードへの移行を中止し、前記指定電話番号の先頭が前記所定の符号でないときには前記国番号選択モードへ移行する移行判定手段と、
前記国番号選択モードにおいて、前記入力手段から前記選択指示を受け前記第１の記憶手段から対応する国番号情報を読出し、前記指定電話番号の先頭に読出した前記国番号情報を付加する電話番号処理部とを備える、携帯電話機。
【発明の詳細な説明】
【技術分野】
【０００１】
この発明は携帯電話機に関し、特に、複数の国において使用可能な携帯電話機に関する。
【背景技術】
【０００２】
携帯電話機では、国内の通信網から海外に通信網へ乗入れ（国際ローミング）することで、国境のない自由なミュニケーションが実現されている。
【０００３】
そのような国内と海外の両方の地域で使用が可能な携帯電話機では、用いられる各国の通信方式に応じた複数の通信方式で通信可能に構成されている。現在携帯電話がある地域に応じた通信方式に切替えて通信が行なわれる。
【０００４】
具体的には、日本では第３世代携帯電話の通信方式としてＷ−ＣＤＭＡ（Wideband Code Division Multiple Access）方式が採用され始めており、一方、欧州などでは第２世代通信方式としてＧＳＭ（Global System for Mobile Communications）方式が主流であり、第３世代の通信方式への移行は時間を要すると思われる。
【０００５】
したがって、日本および欧州などで利用可能な携帯電話機は、Ｗ−ＣＤＭＡ方式とＧＳＭ方式との２種類の通信方式で通信可能に構成されている。携帯電話を持って行き使用する国に応じてＷ−ＣＤＭＡ方式とＧＳＭ方式とが切替えられて通信が行なわれる。
【０００６】
なお、他国へダイアルする際に、使用者の操作の手間を軽減する先行技術が特許文献１〜６に開示されている。
【特許文献１】特開平１１−２７５２０６号公報
【特許文献２】特開２００１−６１０００号公報
【特許文献３】特開平８−１６３６３９号公報
【特許文献４】特開２００１−１１９７５０号公報
【特許文献５】特開２００３−１６３７３４号公報
【特許文献６】特開平９−４６４０８号公報
【発明の開示】
【発明が解決しようとする課題】
【０００７】
従来の携帯電話では、国際電話をかける際に、「相手先の国番号」を使用者が数字キーを用いて手で入力する必要があり操作が煩雑であった。また、日本から海外に電話をかける場合には、国番号に加えて、「接続先事業者番号＋０１０」等の番号を先頭に入力する必要があった。なお、上述の「０１０」は、国際プレフィックス番号と呼ばれる。「接続先事業者番号＋０１０」等の番号を本明細書では国際コードと呼ぶことにする。
【０００８】
これに対し、ＧＳＭ圏内では、ローミングがすでに実現されており、国によらず「＋」の後に相手先国際番号をダイアルすれば、日本のように「事業者番号＋０１０」、すなわち国際コードは入力しなくてもよい。
【０００９】
携帯電話では、ユーザが内蔵メモリに複数の電話番号を電話帳として登録しておくことができる。また、１回手入力によって発信した電話番号や、着信があった電話番号を履歴情報として保持しておき、電話番号を手入力しないでも発信できる場合が多い。
【００１０】
しかしながら、初回の発信や着信を行なった場所が次回に発信をする場所と異なると、そのままその履歴に残った電話番号を使用して発信することができない場合がある。同様に、ある時点から発信が可能なように電話帳に電話番号を登録しておいても、発信する地点が代わると国番号や事業者番号を変更せねばならず面倒である。
【００１１】
本発明はこのような問題に鑑みてなされたものであって、予め保持された電話番号を用いて国内国外に適切に発信することのできる携帯電話機を提供することを目的とする。
【課題を解決するための手段】
【００１２】
この発明は、要約すれば、国番号自動付加モードを動作モードとして有する携帯電話機であって、第１〜第３の記憶部と、電話番号処理部とを備える。第１の記憶部は、国番号自動付加モードが有効か無効かの第１の設定を記憶する。第２の記憶部は、自動付加する国番号情報が登録される。第３の記憶部は、電話番号を登録する。電話番号処理部は、第１の設定が国番号自動付加モードの有効を示す場合において、第２の記憶手段に登録されている電話番号のうちからユーザが指定した指定電話番号の先頭が所定の符号であるときには指定電話番号をそのまま発信電話番号とし、指定電話番号の先頭が所定の符号でないときには指定電話番号の先頭に所定の符号と第２の記憶手段に登録されている国番号情報に対応する番号とを付加して発信電話番号を生成する。
【００１３】
好ましくは、携帯電話機は、動作モードとして国際コード自動付加モードをさらに有し、第１の記憶手段は、国際コード自動付加モードが有効か無効かを示す第２の設定をさらに記憶し、第２の記憶手段には、自動付加する国際コード情報がさらに登録され、電話番号処理部は、第２の設定が国際コード自動付加モードの有効を示す場合には、発信電話番号の先頭の所定の符号を第２の記憶手段に登録されている国際コード情報に対応する番号に置換する。
【００１４】
この発明の他の局面に従うと、国際コード自動付加モードを動作モードとして有する携帯電話機であって、国際コード自動付加モードが有効か無効かの設定を記憶する第１の記憶部と、自動付加する国際コード情報が登録される第２の記憶部と、電話番号を登録する第３の記憶部と、電話番号処理部とを備える。電話番号処理部は、設定が国際コード自動付加モードの有効を示す場合において、第２の記憶手段に登録されている電話番号のうちからユーザが指定した指定電話番号の先頭が所定の符号であるときには発信電話番号の先頭の所定の符号を第２の記憶手段に登録されている国際コード情報に対応する番号に置換して発信電話番号を生成し、指定電話番号の先頭が所定の符号でないときには指定電話番号をそのまま発信電話番号とする。
【００１５】
この発明のさらに他の局面に従うと、国番号選択モードを動作モードとして有する携帯電話機であって、国表記情報と国番号情報とを対応付けて記憶する第１の記憶部と、指定電話番号を一時的に保持する第２の記憶部と、複数の国表記情報を表示する表示部と、国番号選択モードへの移行指示と複数の国表記情報のうちから１つを選択する選択指示とを入力するための入力部と、電話番号処理部とを備える。電話番号処理部は、入力手段から国番号選択モードへの移行指示があった場合において、第２指定電話番号の先頭が所定の符号であるときには国番号選択モードへの移行を中止し、指定電話番号の先頭が所定の符号でないときには国番号選択モードへ移行する移行判定手段と、国番号選択モードにおいて、入力手段から選択指示を受け第１の記憶手段から対応する国番号情報を読出し、指定電話番号の先頭に読出した国番号情報を付加する。
【発明の効果】
【００１６】
本発明によれば、日本から海外に通話する場合、日本国内から日本国内に通話する場合、および海外から日本国内に通話する場合が存在しても、共通の保存された電話番号に基づき発信が可能であるので、ユーザの負荷を軽減できる。また、発信の都度事業者番号や国番号等の情報を調べなくてもよいので、さらにユーザの負担が軽減される。
【発明を実施するための最良の形態】
【００１７】
以下において、本発明の実施の形態について図面を参照して詳しく説明する。なお、図中同一符号は同一または相当部分を示す。
【００１８】
［実施の形態１］
図１は、本実施の形態に係る携帯電話機１００の構成を示すブロック図である。
【００１９】
図１を参照して、携帯電話機１００は、送受信用のアンテナ１と、アンテナ１から入力される信号の着信処理を行なう着信部２と、アンテナ１に対して発信処理を行なう発信部３と、送話用のマイクロフォン５と、受話用のスピーカ６と、ＣＰＵ（中央演算ユニット）などから構成される制御部７と、ユーザが発信先電話番号や各種入力を行なう入力部８と、ユーザに対して電話番号との表示を行なう表示部９と、記憶装置であるメモリ１１と、ＳＩＭ／ＵＳＩＭカードドライバ１２とを含む。着信部２および発信部３は、複数の通信方式で通信可能に構成されている。
【００２０】
メモリ１１は、着信履歴を保存する領域１４、電話帳を保存する領域１５およびモード設定を保存する領域１６、登録情報を保存する領域１７を含む。メモリ１１は、ＲＯＭやＲＡＭで構成されている。これらはフラッシュメモリのような不揮発性メモリであってもよい。
【００２１】
制御部７は、メモリ１１の内部の図示しないＲＯＭに記憶されているプログラムを読出し実行することで、携帯電話機１００の各部を制御する。メモリ１１の内部の図示しないＲＡＭは、制御部７でプログラムを実行する際の作業領域となる。
【００２２】
ＳＩＭ／ＵＳＩＭカードドライバ１２にはＳＩＭ／ＵＳＩＭカード１３が接続される。ＳＩＭ／ＵＳＩＭカード１３には、ＩＣチップが内蔵されており、モバイルコミュニケーションに必要な情報が記憶されている。
【００２３】
図２は、携帯電話機１００の形状の例を説明するための図である。
【００２４】
図２を参照して、携帯電話機１００は折りたたみ可能であり、表示部９の上部にスピーカ６が配置され、入力部の下部にマイク５が配置される。
【００２５】
入力部８は、０〜９，＊，♯などを入力するための数字キー２０と、表示部９に表示された内容を確定したり、表示部９に表示されるメニューの選択を行なったりするためのカーソルキー２１と、メニューの確定等を指示する決定キー２５と、電源キー２４と発信キー２３と、クリヤ、メモ、マナー等の機能を指定するファンクションキー２２とを含む。
【００２６】
図３は、本発明の携帯電話が使用される環境を説明するための模式図である。
【００２７】
図３を参照して、本発明の携帯電話は、２つのエリアＡ，Ｂを往来する携帯電話ユーザに好適に用いられる。エリアＡは、たとえば欧州のようなＧＳＭ圏である。エリアＢは、たとえば日本のようなＷ−ＣＤＭＡ圏である。
【００２８】
たとえば、エリアＡの携帯電話２０１とエリアＢの携帯電話２０６とが通信を行なう場合について説明する。携帯電話２０１は基地局２０２と無線で通信を行なう。基地局２０２はキャリア２０４とネットワーク２０３を介して通信を行なう。キャリア２０４はキャリア２０９と国際ネットワーク２０５を介して通信を行なう。キャリア２０９は基地局２０７とネットワーク２０８を介して通信を行なう。基地局２０７は携帯電話２０６と無線で通信を行なう。
【００２９】
図４は、電話帳として用いられるテーブルを示す図である。
【００３０】
図４を参照して、テーブルには、第１番目のデータとして、氏名を表す「鈴木一郎」と電話番号を表す「0123456789」とが関連付けられて登録されている。また、第２番目のデータとして、氏名を表す「鈴木二郎」と電話番号を表す「+44123456789」とが関連付けられて登録されている。さらに、第３番目のデータとして、氏名を表す「鈴木三郎」と電話番号を表す「0046010123456789」とが関連付けられて登録されている。
【００３１】
第１番目のデータは、ＧＳＭ圏であるイギリスからイギリスにいる鈴木一郎さんに電話をかけることを想定して登録された電話番号である。また第１番目のデータは、ＧＳＭ圏内のイギリス以外の国から鈴木二郎さんに電話をかけることを想定して登録された電話番号である。この場合には、電話番号の先頭に、「＋」とイギリスを示す国番号「４４」が付加されている。付加の際に電話番号の先頭の「０」は削除される。
【００３２】
第３番目のデータは、日本からイギリスにいる鈴木三郎さんに国際電話をかけることを想定して登録された電話番号である。この場合には、先頭４桁に事業者番号「００４６」が付与され、続く３桁に国際プレフィックス番号「０１０」が付与され、さらにイギリスを示す国番号「４４」が続き、個別の電話番号の先頭の０が削除されて後に続いている。
【００３３】
図５は、実施の形態１の発明が好適に用いられる状況を説明するための図である。
【００３４】
実施の形態１は、主として、ＧＳＭ圏内においてユーザが国際電話をかける場合にユーザの負担を軽減するものである。
【００３５】
図５を参照して、エリアＡ（例えばＧＳＭ圏）のＣ国（例えば国番号「４４」のイギリス）にある携帯電話３０１に向けて発信可能なように、エリアＡのＣ国において携帯電話３０２に電話番号を登録したとする。
【００３６】
すると、図４の第１番目のデータに示されるように、国番号が付与されていない形で電話番号が電話帳に登録される。また、電話帳に登録されなくても、一度Ｃ国内で携帯電話３０１と３０２の間で通信が行われることにより、着信履歴や発信履歴に同様なデータが残る。
【００３７】
ここで、携帯電話３０２のユーザがＤ国に移動して携帯電話３０２から携帯電話３０１に向けて発信を行なう場合を考える。すると、先頭に「＋」と国番号が必要となるためユーザはデータを呼び出してそのまま電話をかけることはできない。そこで、呼び出したデータの先頭に「＋」と国番号とを簡単に付加して発信できれば便利である。そこで、ユーザは、携帯電話の国番号付加処理機能を有効に設定する。この設定は、たとえば入力部８を用いてユーザが行ない、設定が有効である旨のモード設定が図１のメモリ１１内の領域１６に保存される。
【００３８】
図６は、実施の形態１の携帯電話機の動作を説明するためのフローチャートである。
【００３９】
図７は、図６のフローチャートに対応する表示部の変化を説明するための図である。
【００４０】
図６、図７を参照して、国番号付加処理について説明する。国番号付加処理がスタートすると、まずステップＳ１０１において、手入力もしくはメモリダイアル（電話帳）から選択された電話番号が入力される。電話番号の入力後には表示部９の表示が画面Ｐ１０１のようになる。画面Ｐ１０１では、決定キー２５が国番号キーとして割当てられていることが示されている。
【００４１】
続いて、ステップＳ１０２においてキー入力待ちとなっている携帯電話にキーの入力が行なわれ、ステップＳ１０３において入力されたキーがどのようなキーであるかの判別が行なわれる。ステップＳ１０３において国番号キーが押されていると判別された場合にはステップＳ１０４に進む。一方、発信キー２３が押された場合にはステップＳ１２０に進み発信処理が行なわれる。
【００４２】
国番号キーが押されステップＳ１０４に進んだ場合には、入力された電話番号の先頭が「＋」か否かが判断される。電話番号の先頭が「＋」である場合には、この電話番号は、ＧＳＭ圏において国際電話（たとえばイギリスからフランスへ）を行なうためのものとして登録されたものである場合であるので、「＋」の後には国番号が続くものと推定される。したがって先頭が「＋」の場合には国番号は付加する必要が無いので、ステップＳ１０５に進み表示部９にはエラーメッセージの表示が行なわれる。そして、再びステップＳ１０２のキー入力待ち状態となる。
【００４３】
一方、ステップＳ１０４において先頭が「＋」でない場合には、ステップＳ１０６において国番号リストが選択されたか否かの判断が行なわれる。この場合には表示部９は、画面Ｐ１０２に示す状態となる。カーソルキー２１と決定キー２５を操作して画面の「リスト」の表示が選択された場合には、ステップＳ１０７に進み、予め登録されたリストから国番号を選択することが可能となる。この場合には表示部９は画面Ｐ１０３に示す状態になる。この場合に表示部には候補番号０１〜０９と対応する国名が表示され、この国名の中からユーザは国際電話をかけたい国を選択することができる。
【００４４】
図８は、図１のメモリ１１に予め保存された国番号テーブルを示す図である。
【００４５】
図８に示すように、候補番号０１〜０９にそれぞれ対応して、国名が日本、イギリス、イタリア、スイス、スペイン、ドイツ、ポルトガル、オランダおよびフランスのように登録されており、これらの国名にそれぞれ対応する国番号が「８１」，「４４」，「３９」，「４１」，「３４」，「４９」，「３５１」，「３１」，「３３」というふうに登録されている。これらの国名に関連付けられた国番号は、図１のメモリ１１の登録情報を格納する領域１７に予め保存されている。
【００４６】
再び図６、図７を参照して、画面Ｐ１０３において、たとえば候補０２のイギリスがカーソルキー２１によって選択され反転表示され、決定キー２５が押された場合には、ステップＳ１０９に進み付加する国番号が決定する。この場合、付加する国番号は４４となる。
【００４７】
一方、ステップＳ１０６において国番号リストの選択をユーザが行なわなかった場合には、直接国番号を入力することができる。たとえばイギリスの場合であれば数字キー２０を使用して「４４」のように入力する。入力後には表示部９は画面Ｐ１０４に示す状態となる。ステップＳ１０９において決定キーが押されると、ステップＳ１１０に進み、画面Ｐ１０１に表示されていた電話番号の先頭に「＋」と国番号が付加され、表示部は画面Ｐ１０５に示す状態となる。その際に、電話番号の先頭が「０」であるときには、先頭の「０」が削除されてから「＋」と国番号が付加される。ただし、国番号が特定の国たとえばイタリアの国番号である場合には先頭の「０」は削除せずそのまま「＋」と国番号が付加される。先頭の「０」の削除を行なうか否かは各国によって異なるので、対応する情報が予めメモリ１１に登録され、これを参照してステップＳ１１０の処理が行なわれる。
【００４８】
そして、発信キー２３を押す等して発信の開始を指示することによりステップＳ１２０において発信処理が行なわれる。発信処理における表示部９は画面Ｐ１０６のように表示される。
【００４９】
この際に、後に実施の形態４で説明する国際コード自動付加モードがオンであった場合には、先頭の「＋」が事業者番号と国際プリフィックス番号に変換され、画面はＰ１０７に示すようになる。
【００５０】
以上説明したように、実施の形態１では、ユーザが国番号をいちいち記憶していなくても、登録済みの電話番号または手入力された電話番号に容易に国番号を付加できるので、ユーザは国際電話を簡単にかけることができる。
【００５１】
［実施の形態２］
実施の形態２で説明する処理では、国番号をユーザが発信の際にその都度入力するのではなく、たとえば取引先等があるよく国際電話をかける国を１つ登録しておくことにより、発信の際に自動的に国番号を付与する。登録時および発信時の携帯電話の位置については、図５で説明した状況と同様であるので説明は繰返さない。
【００５２】
図９は、実施の形態２における国番号登録処理を説明するためのフローチャートである。
【００５３】
図１０は、図９のフローチャートに対応する表示部の変化を説明するための図である。
【００５４】
図９、図１０を参照して、まず国番号登録処理がスタートすると、ステップＳ２０１において国番号自動付加モードか否かが判断される。国番号自動付加モードをオンにするかオフにするかの設定はユーザが予め定めておくことができる。この設定は、図１のメモリ１１のモード設定を保存する領域１６に保存される。
【００５５】
ステップＳ２０１において国番号自動付加モードがオフであった場合には、ステップＳ２０８に進み自動付加モードがオフである旨の図示しない表示がなされ処理は終了する。
【００５６】
一方、ステップＳ２０１において国番号自動付加モードであった場合には、表示部９は画面Ｐ２０１に示す状態になる。そして、ステップＳ２０２に進み、カーソルキーや決定キーの操作によりリスト要求がなされたか否かが判断される。
【００５７】
リスト要求があった場合には、ステップＳ２０３に進み、画面Ｐ２０４のような国番号リスト表示が表示部９に表示される。そして、ステップＳ２０４に進み、カーソルキー２１を移動させることにより、国名を選択する。図１０では、画面Ｐ２０５においてイギリスが選択される場合が示される。
【００５８】
国名が決定されることにより、ステップＳ２０５に進み選択された国名が予め対応が登録されている国番号に変換され、画面Ｐ２０２のように「４４」が表示される。そして、ステップＳ２０７に進む。
【００５９】
一方、ステップＳ２０２においてリスト要求がなかった場合には、ユーザが数字キー２０を用いて国番号を入力する。その場合にも、表示部９は画面Ｐ２０２のような表示となる。そして、ステップＳ２０７に進む。
【００６０】
ステップＳ２０７では、画面Ｐ２０６のような登録完了表示が表示部９に表示され、国番号登録処理が終了する。
【００６１】
図１１は、登録された自動付加国番号を説明するための図である。
【００６２】
国番号登録処理により、図１１に示されるように自動付加国番号が「４４」である旨の登録が図１のメモリ１１の登録情報保存領域１７に格納される。
【００６３】
図１２は、国番号自動付加処理の発信時の動作を説明するためのフローチャートである。
【００６４】
図１２を参照して、まず、ステップＳ３０１において電話番号が入力される。この入力は、図２の数字キー２０を用いて行なわれてもよいし、図１の領域１５中の電話帳データまたは領域１４中の着信履歴データから電話番号を呼出してもよい。
【００６５】
続いて、ステップＳ３０２において国際電話を発信する旨が指定されて発信キー等により発信開始の指示が入力されると、ステップＳ３０３において自動国番号付加設定がオンかオフかが判断される。自動国番号付加設定は、予めユーザによりオンかオフかが設定されており、図１のメモリ１１の領域１６に保存されている。自動国番号付加設定がオフである場合には、ステップＳ３０６に進み通常の発信処理が行なわれる。
【００６６】
一方、ステップＳ３０３において自動国番号付加設定がオンである場合には、ステップＳ３０４に進む。ステップＳ３０４では、入力された電話番号の先頭が「＋」か否かが判断される。先頭が「＋」である場合には、表示された電話番号は図４の第２番目のデータのように、ＧＳＭ圏内におけるローミングに対応する国番号入りの電話番号であると推定されるので、ステップＳ３０６に進み入力された電話番号のままの発信処理が行なわれる。
【００６７】
一方ステップＳ３０４において先頭が「＋」でない場合には、ステップＳ３０５に進み、「＋」と予め設定した国番号とが付与される。ここで予め設定した国番号は、図１１に示されるようにイギリスに対応する「４４」であるので、この番号が付与され、ステップＳ３０６において発信処理が行なわれる。
【００６８】
図１３は、ステップＳ３０５の表示部の表示を説明するための図である。
【００６９】
図１３を参照して、電話番号がステップＳ３０１において入力された直後の表示部の表示は画面Ｐ３０１に示される。この電話番号の先頭は「＋」ではないので、予め自動国番号付加設定をオンにしてあれば、発信キー等により発信開始の指示がされることにより、ステップＳ３０５の処理が行なわれる。その結果、画面Ｐ３０２に示されるように電話番号に「＋」と「４４」が先頭に付加され、発信処理が行なわれる。
【００７０】
再び図１を参照して、実施の形態２の国番号自動付加モードを動作モードとして有する携帯電話機について説明する。
【００７１】
携帯電話機は、国番号自動付加モードがオンかオフかの設定を記憶する領域１６と、自動付加する国番号情報を登録する領域１７と、電話番号を登録する領域１４または１５と、電話番号処理部に相当する制御部７とを含む。
【００７２】
制御部７は、国番号自動付加モードがオンである場合において、領域１４または１５に登録されている電話番号のうちからユーザが指定した指定電話番号の先頭が「＋」であるときにはその指定電話番号をそのまま発信電話番号とし、その指定電話番号の先頭が「＋」でないときには指定電話番号の先頭に「＋」と領域１７に登録されている国番号情報に対応する国番号とを付加して前記発信電話番号を生成する。
【００７３】
以上説明したように、実施の形態２の携帯電話機は、予め自動付加する国番号を登録しておくことにより、発信処理をさせると入力された電話番号が、特定の条件を満たす場合には自動的に国番号が付与される。したがって、国際電話をかける国が決まっている場合には、いちいちユーザが国番号を入力しなくても済むので、ユーザの入力の負担が軽減される。
【００７４】
［実施の形態３］
実施の形態３では、入力した電話番号に国際コードを自動付加するケースを説明する。国際コードとは、本明細書において事業者コードと国際プレフィックス番号とを合わせたものをいうこととする。
【００７５】
図１４は、実施の形態３の発明が好適に用いられる状況を説明するための図である。
【００７６】
実施の形態３は、主として、日本国内においてユーザが国際電話をかける場合にユーザの負担を軽減するものである。
【００７７】
図１４を参照して、エリアＡ（例えばＧＳＭ圏）のＣ国（例えば国番号「４４」のイギリス）にある携帯電話３０１に向けて発信可能なように、エリアＡのＤ国において携帯電話３０２に電話番号を登録したとする。
【００７８】
すると、図４の第２番目のデータに示されるように、「＋」と国番号が付与された形で電話番号が電話帳に登録される。また、電話帳に登録されなくても、一度Ｃ国内の携帯電話３０１とＤ国内の携帯電話３０２との間で通信が行われることにより、着信履歴や発信履歴に同様なデータが残る。
【００７９】
ここで、携帯電話３０２のユーザが日本に移動して携帯電話３０２から携帯電話３０１に向けて発信を行なう場合を考える。すると、先頭に事業者コード、たとえば「００４６」と国際プレフィックス番号「０１０」とが必要となるためユーザはデータを呼出してそのまま電話をかけることはできない。そこで、呼出したデータの先頭に事業者コード、たとえば「００４６」と国際プレフィックス番号「０１０」とを簡単に付加して発信できれば便利である。そこで、ユーザは、携帯電話の国際コード付加処理機能を有効に設定する。この設定は、たとえば入力部８を用いてユーザが行ない、設定が有効である旨のモード設定が図１のメモリ１１内の領域１６に保存される。
【００８０】
図１５は、国際コード登録処理を説明するためのフローチャートである。
【００８１】
図１６は、図１５のフローチャートに対応する表示部の変化を説明するための図である。
【００８２】
図１５、図１６を参照して、登録処理においては、まずステップＳ４０１において国際自動付加モードを選択するか否かを設定する。画面Ｐ４０１、Ｐ４０２に示されるようにカーソルキーを操作してオンかオフかを切換え、そして、決定キーを押すことによりモードが決定される。ここで国際コード自動付加モードがオフに設定された場合には、ステップＳ４０４に進み、画面Ｐ４０３に示されるような「ＯＦＦに設定しました」という表示が行なわれる。
【００８３】
そして、いずれかのキーを押すと通常画面Ｐ４０７に戻り処理は終了する。通常画面Ｐ４０７の例として図１６には、時間と日付を表示する画面が示されている。
【００８４】
一方、ステップＳ４０１において画面Ｐ４０２に示されるように国際コード自動付加モードがオンに設定されるとステップＳ４０２に進む。ステップＳ４０２では、画面Ｐ４０４のように国際コードを入力することができる状態となる。
【００８５】
この場合、国際コードとして事業者コードに対応する「００４６」と国際プレフィックス番号「０１０」とが入力されている。この入力は１０桁以内で許容され、１０桁を超えて入力があった場合には、エラー音が鳴動する。
【００８６】
そして必要な桁数の入力が終了すると決定キーが押されることにより、ステップＳ４０３に進み画面Ｐ４０６のような登録完了表示が表示部に表示される。そしていずれかのキーを押すと通常画面Ｐ４０７の表示となる。ここでステップＳ４０２において入力が所定時間全くない場合には、画面Ｐ４０５のような入力を促す表示を行ない再び入力待ちとなるようにしてもよい。
【００８７】
図１７は、自動付加国際コードとして登録される情報を説明するための図である。
【００８８】
図１５に示した登録処理の結果、図１７に示すように自動付加国際コードとして「００４６０１０」が図１のメモリ１１の所定の領域１７に記憶される。
【００８９】
図１８は、国際コード自動付加処理がオンである場合の発信処理を説明するためのフローチャートである。
【００９０】
図１８を参照して、国際コード自動付加処理の発信時にはまずステップＳ５０１において電話番号入力が行なわれる。この入力は、電話帳のデータを呼出すことによって行なってもよいし、履歴データを参照することによって行なってもよいし、数字キーを使用してユーザが１桁ごとに入力してもよい。
【００９１】
そしてステップＳ５０２において国際電話である旨の指定がなされ発信キーを押すことなどにより、発信の開始の指示が行なわれる。するとステップＳ５０３において自動国際コード付加設定がオンかオフかが判断される。自動国際コード付加設定は、予めユーザによりオンかオフかが設定されており、図１のメモリ１１の領域１６に保存されている。自動国際コード付加設定がオフの場合には、ステップＳ５０６に進み通常の発信処理が行なわれる。
【００９２】
一方、ステップＳ５０３において自動国際コード付加設定がオンの場合には、ステップＳ５０４に進む。ステップＳ５０４では、ステップＳ５０１で入力されていた電話番号の先頭が「＋」か否かが判断される。
【００９３】
ステップＳ５０４において先頭が「＋」でない場合には、図４の第１番目または第３番目のデータとして示されたような電話番号が入力されていると考えられる。第１番目のデータの場合は国番号が不足しており、国際コードを付加しても発信できない。また第３番目のデータの場合は国際コードを付加する必要がない。したがってステップＳ５０６に進み、入力された電話番号をそのまま発信処理に用いる。
【００９４】
一方、ステップＳ５０４において、ステップＳ５０１で入力された電話番号の先頭が「＋」である場合には、ステップＳ５０５に進み「＋」を予め設定した国際コードと置換する。そして、ステップＳ５０６に進み発信処理が行なわれる。
【００９５】
図１９は、国際コード自動付加処理の発信時における画面を説明するための図である。
【００９６】
図１９を参照して、画面Ｐ５０１は図１８のステップＳ５０１において電話帳データから図４の第２番目のデータである鈴木二郎さんの電話番号を呼出した場合を示し、発信キーが押されると画面Ｐ５０２に示すように、「＋」が図１５で説明した処理で予め登録されている国際コード「００４６０１０」に変換されて、発信処理が行なわれることが示されている。
【００９７】
実施の形態３で説明した国際コード自動付加処理を用いれば、たとえば日本から先頭に「＋」の付された電話番号を発信する際に、事業者コードやプレフィックス番号をいちいち入力する手間が省け、ユーザの入力の負担が軽減される。
【００９８】
［実施の形態４］
実施の形態４は、実施の形態２で説明した国番号自動付加処理と、実施の形態３で説明した国際コード自動付加処理とを組合せて用いるものである。
【００９９】
図２０は、実施の形態４の発明が好適に用いられる状況を説明するための図である。
【０１００】
実施の形態３は、主として、日本国内においてユーザが国際電話をかける場合にユーザの負担を軽減するものである。
【０１０１】
図２０を参照して、エリアＡ（例えばＧＳＭ圏）のＣ国（例えば国番号「４４」のイギリス）にある携帯電話３０１に向けて発信可能なように、エリアＡのＣ国において携帯電話３０２に電話番号を登録したとする。
【０１０２】
すると、図４の第１番目のデータに示されるように、国番号が付与されていない形で電話番号が電話帳に登録される。また、電話帳に登録されなくても、一度Ｃ国内で携帯電話３０１と３０２の間で通信が行われることにより、着信履歴や発信履歴に同様なデータが残る。
【０１０３】
ここで、携帯電話３０２のユーザが日本に移動して携帯電話３０２から携帯電話３０１に向けて発信を行なう場合を考える。すると、先頭に事業者コード、たとえば「００４６」と国際プレフィックス番号「０１０」とが必要であり、それに続く国番号「４４」も必要となるためユーザはデータを呼出してそのまま電話をかけることはできない。そこで、呼出したデータの先頭に事業者コード、たとえば「００４６」と国際プレフィックス番号「０１０」と国番号「４４」とを簡単に付加して発信できれば便利である。そこで、ユーザは、携帯電話の国番号付加処理機能と国際コード付加処理機能の両方を有効に設定する。この設定は、たとえば入力部８を用いてユーザが行ない、設定が有効である旨のモード設定が図１のメモリ１１内の領域１６に保存される。
【０１０４】
実施の形態４では、国番号と国際コードをあらかじめ登録しておく必要があるが、図９および図１５を用いて説明した処理と同様な処理が行なわれるので、説明は繰返さない。
【０１０５】
図２１は、実施の形態４における発信処理を説明するためのフローチャートである。
【０１０６】
図２１を参照して、まず、ステップＳ６０１において電話番号が入力される。この入力は、図２の数字キー２０を用いて行なわれてもよいし、図１の領域１５中の電話帳データまたは領域１４中の着信履歴データから電話番号を呼出してもよい。
【０１０７】
続いて、ステップＳ６０２において国際電話を発信する旨が指定されて発信キー等により発信開始の指示が入力されると、ステップＳ６０３において自動国番号付加設定がオンかオフかが判断される。自動国番号付加設定は、予めユーザによりオンかオフかが設定されており、図１のメモリ１１の領域１６に保存されている。自動国番号付加設定がオフである場合には、ステップＳ６０６に進む。
【０１０８】
一方、ステップＳ６０３において自動国番号付加設定がオンである場合には、ステップＳ６０４に進む。ステップＳ６０４では、入力された電話番号の先頭が「＋」か否かが判断される。先頭が「＋」である場合には、表示された電話番号は図４の第２番目のデータのように、ＧＳＭ圏内におけるローミングに対応する国番号入りの電話番号であると推定されるので、ステップＳ６０６に進み入力された電話番号のまま処理が継続される。
【０１０９】
一方ステップＳ６０４において先頭が「＋」でない場合には、ステップＳ６０５に進み、「＋」と予め設定した国番号とが付与される。ここで予め設定した国番号は、図１１に示されるようにイギリスに対応する「４４」であるので、この番号が付与されそしてステップＳ６０６に進む。
【０１１０】
ステップＳ６０６では、自動国際コード付加設定がオンかオフかが判断される。自動国際コード付加設定は、予めユーザによりオンかオフかが設定されており、図１のメモリ１１の領域１６に保存されている。自動国際コード付加設定がオフの場合には、ステップＳ６０９に進み通常の発信処理が行なわれる。
【０１１１】
一方、ステップＳ６０６において自動国際コード付加設定がオンの場合には、ステップＳ６０７に進む。ステップＳ６０７では、ステップＳ６０１〜Ｓ６０５の処理が終了後の電話番号の先頭が「＋」か否かが判断される。
【０１１２】
ステップＳ６０７において先頭が「＋」でない場合には、ステップＳ６０１〜Ｓ６０５の処理が終了後の電話番号は、図４の第１番目または第３番目のデータとして示されたような電話番号であると考えられる。第１番目のデータの場合は国番号が不足しており、国際コードを付加しても発信できない。また第３番目のデータの場合は国際コードを付加する必要がない。したがってステップＳ６０９に進み、入力された電話番号をそのまま発信処理に用いる。
【０１１３】
一方、ステップＳ６０７において、ステップＳ６０１〜Ｓ６０５の処理が終了後の電話番号の先頭が「＋」である場合には、ステップＳ６０８に進み「＋」を予め設定した国際コードと置換する。そして、ステップＳ６０９に進み発信処理が行なわれる。
【０１１４】
以上説明したように、実施の形態４では、出張先等の海外において、携帯電話に電話番号を記憶させた場合、日本に帰国した後に自動国番号付加設定および自動国際コード付加設定の両方を有効にしておく。日本で国際電話として発信すれば、面倒な国番号の入力や国際コードの入力を行なわなくてよいので、ユーザの入力の負担が軽減される。
【０１１５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１１６】
【図１】本実施の形態に係る携帯電話機１００の構成を示すブロック図である。
【図２】携帯電話機１００の形状の例を説明するための図である。
【図３】本発明の携帯電話が使用される環境を説明するための模式図である。
【図４】電話帳として用いられるテーブルを示す図である。
【図５】実施の形態１の発明が好適に用いられる状況を説明するための図である。
【図６】実施の形態１の携帯電話機の動作を説明するためのフローチャートである。
【図７】図６のフローチャートに対応する表示部の変化を説明するための図である。
【図８】図１のメモリ１１に予め保存された国番号テーブルを示す図である。
【図９】実施の形態２における国番号登録処理を説明するためのフローチャートである。
【図１０】図９のフローチャートに対応する表示部の変化を説明するための図である。
【図１１】登録された自動付加国番号を説明するための図である。
【図１２】国番号自動付加処理の発信時の動作を説明するためのフローチャートである。
【図１３】ステップＳ３０５の表示部の表示を説明するための図である。
【図１４】実施の形態３の発明が好適に用いられる状況を説明するための図である。
【図１５】国際コード登録処理を説明するためのフローチャートである。
【図１６】図１５のフローチャートに対応する表示部の変化を説明するための図である。
【図１７】自動付加国際コードとして登録される情報を説明するための図である。
【図１８】国際コード自動付加処理がオンである場合の発信処理を説明するためのフローチャートである。
【図１９】国際コード自動付加処理の発信時における画面を説明するための図である。
【図２０】実施の形態４の発明が好適に用いられる状況を説明するための図である。
【図２１】実施の形態４における発信処理を説明するためのフローチャートである。
【符号の説明】
【０１１７】
１  アンテナ、２  着信部、３  発信部、５  マイク、６  スピーカ、７  制御部、８  入力部、９  表示部、１１  メモリ、１２  ＳＩＭ／ＵＳＩＭカードドライバ、１３  ＳＩＭ／ＵＳＩＭカード、１４〜１７  領域、２０  数字キー、２１  カーソルキー、２２  ファンクションキー、２３  発信キー、２４  電源キー、２５  決定キー、１００  携帯電話機、２０１，２０６，３０１，３０２  携帯電話、２０２，２０７  基地局、２０３，２０８  ネットワーク、２０４，２０９  キャリア、２０５  国際ネットワーク。
【図１】
2005184650.tif 000003
【図２】
2005184650.tif 000004
【図３】
2005184650.tif 000005
【図４】
2005184650.tif 000006
【図５】
2005184650.tif 000007
【図６】
2005184650.tif 000008
【図７】
2005184650.tif 000009
【図８】
2005184650.tif 000010
【図９】
2005184650.tif 000011
【図１０】
2005184650.tif 000012
【図１１】
2005184650.tif 000013
【図１２】
2005184650.tif 000014
【図１３】
2005184650.tif 000015
【図１４】
2005184650.tif 000016
【図１５】
2005184650.tif 000017
【図１６】
2005184650.tif 000018
【図１７】
2005184650.tif 000019
【図１８】
2005184650.tif 000020
【図１９】
2005184650.tif 000021
【図２０】
2005184650.tif 000022
【図２１】
2005184650.tif 000023